(57)【要約】【課題】美観を損ねることなく、投影光の遮断を防ぐことができる画像表示装置を提供する。【解決手段】投影画像３０を表示する画像表示装置１において、一方の面で結像した投影画像３０を他方の面から視認できる透過型のスクリーンと、画像表示装置１を水平な床面に正立させた際に、該スクリーンを床面に傾斜した状態で固定する傾斜部２ａを備え、柱状に形成された胴部２と、スクリーンの下方であって、投影ビームが、胴部２の内側を通過するように配置されたプロジェクタと、投影画像３０の画像データを記憶する記憶装置と、プロジェクタから出力される投影ビームを、スクリーンに導いて結像させる光学機構とを備えた。【選択図】図４
2009116238.tif 000002
【特許請求の範囲】
【請求項１】
投影画像を表示する画像表示装置において、
一方の面で結像した投影画像を他方の面から視認できる透過型のスクリーンと、
該画像表示装置を水平な床面に正立させた際に、該スクリーンを前記床面に傾斜した状態で固定する傾斜部を備え、柱状に形成された胴部と、
前記スクリーンの下方であって、投影ビームが、前記胴部の内側を通過するように配置されたプロジェクタと、
投影画像の画像データを記憶する記憶装置と、
前記プロジェクタから出力される投影ビームを、前記スクリーンに導いて結像させる光学機構と
を備えたことを特徴とする画像表示装置。
【請求項２】
請求項１に記載の画像表示装置において、
前記胴部の下方に、前記プロジェクタ及び前記光学機構を収容する収容部を備え、該収容部の形状が、前記胴部の形状に合わせた形状であることを特徴とする画像表示装置。
【請求項３】
請求項１又は２に記載の画像表示装置において、
前記胴部は、透明性を有する材質から形成されていることを特徴とする画像表示装置。
【請求項４】
請求項１〜３のいずれか１項に記載の画像表示装置において、
前記胴部は筒状に形成されていることを特徴とする画像表示装置。
【請求項５】
請求項２〜４のいずれか１項に記載の画像表示装置において、
前記収容部に前記記憶装置に画像データを入力するための接続口を備えたことを特徴とする画像表示装置。
【請求項６】
請求項１〜５のいずれか１項に記載の画像表示装置において、
前記胴部は、円形状の前記傾斜部と、該傾斜部の円周に沿って設けられた外周面とを有することを特徴とする画像表示装置。
【請求項７】
請求項１〜６のいずれか１項に記載の画像表示装置において、
前記胴部は、多角形状の前記傾斜部と、該傾斜部の各辺に沿って設けられた各側面とを有することを特徴とする画像表示装置。
【発明の詳細な説明】
【技術分野】
【０００１】
本発明は、プロジェクタを使用した独立設置型の画像表示装置に関する。
【背景技術】
【０００２】
商品の宣伝等の目的で、液晶ディスプレイ等の画像表示装置が店舗等で用いられている。このような画像表示装置の一つとして、プロジェクタと、画像を投影する表示板とを備え、該表示板を通行人の目線よりも低い位置に支持する装置が既に提案されている（特許文献１参照）。この画像表示装置の表示板は、支持フレームによって床面に対し一定の傾きを持つように支持されており、通行人が遠くから表示板を眺めてそのまま通り過ぎていくことがないように、近づいてみなければよく見えない設計がされている。このため、店舗等への集客効果を高めることができる。また、画像表示装置は、広告主が用意した画像データを記憶する記憶部とを一体に備えているので、簡単に設置できるとともに、所望の画像を簡単な操作で表示することができる。
【特許文献１】特許第３８３８２４１号
【発明の開示】
【発明が解決しようとする課題】
【０００３】
この画像表示装置は、上記したような効果を有するが、以下のような要望もあった。即ち、上記画像表示装置は、支持フレームの間に防護板を設けることにより、正面側からの侵入物の侵入を防止できるが、側方からの侵入を防ぐことができない。一方、上記装置の周囲に防護板を設けると、画像表示装置の美観の低下が懸念される。
【０００４】
本発明は、上記問題点に鑑みてなされたものであり、その目的は、美観を損ねることなく、投影光の遮断を防ぐことができる画像表示装置を提供することにある。
【課題を解決するための手段】
【０００５】
本発明は、投影画像を表示する画像表示装置において、一方の面で結像した投影画像を他方の面から視認できる透過型のスクリーンと、該画像表示装置を水平な床面に正立させた際に、該スクリーンを前記床面に傾斜した状態で固定する傾斜部を備え、柱状に形成された胴部と、前記スクリーンの下方であって、投影ビームが、前記胴部の内側を通過するように配置されたプロジェクタと、投影画像の画像データを記憶する記憶装置と、前記プロジェクタから出力される投影ビームを、前記スクリーンに導いて結像させる光学機構とを備えた。
【０００６】
この構成によれば、柱状の胴部の内側を投影ビームが通過するため、装置の周囲に防護板を巡らすことなく、不測の侵入物の侵入を防止することができる。このため、画像表示装置の美観を損ねない。また、傾斜部にスクリーンが固定されているので、通行人が画像を見やすい状態で投影画像を表示することができる。
【０００７】
この画像表示装置において、前記胴部の下方に、前記プロジェクタ及び前記光学機構を収容する収容部を備え、該収容部の形状が、前記胴部の断面形状に合わせた形状である。
この構成によれば、収容部の形状が、胴部の断面形状に合わせた形状であるため、装置全体が柱状の形状となる。このため、画像表示装置をシンプルな外観にすることができる。
【０００８】
この画像表示装置において、前記胴部は、透明性を有する材質から形成されている。
この構成によれば、胴部は、透明性を有する材質からなるため、柱状の胴部の上面に表
示された投影画像があたかも宙に浮いているように表示できる。このため、装置の美観を向上できる。
【０００９】
この画像表示装置において、前記胴部は筒状に形成されている。
この構成によれば、胴部は筒状に形成されているので、胴部の重量を軽くすることができる。このため、装置の取扱が容易となる。
【００１０】
この画像表示装置において、前記収容部の背面に前記記憶装置に画像データを入力するための接続口を備えた。
この構成によれば、収容部の背面に接続口を形成したので、柱状の胴部を取り外すことなく、画像データを入力できる。
【００１１】
この画像表示装置において、前記胴部は、円形状の前記傾斜部と、該傾斜部の円周に沿って設けられた外周面とを有する。
この構成によれば、胴部は、円柱状に形成されているので、美観を向上し、円形状の傾斜部に投影画像を表示することができる。
【００１２】
この画像表示装置において、前記胴部は、多角形状の前記傾斜部と、該傾斜部の各辺に沿って設けられた各側面とを有する。
この構成によれば、胴部は多角形状に形成されているので、多角形状の傾斜部に投影画像を表示することができる。また、画像表示装置の一側面を、壁際につけて配置することができる。
【発明を実施するための最良の形態】
【００１３】
（第１実施形態）
以下、本発明の画像表示装置を具体化した一実施形態を図１〜図５に従って説明する。画像表示装置は、独立設置型の装置であって、集客効果及び宣伝効果を目的として店頭等に設置したり、劇場・会議場、美術館・博物館、展示場施設、結婚式場等の入口に配置するのに適している。図１は、本実施形態の画像表示装置１の正面右からみた斜視図である。
【００１４】
画像表示装置１は、胴部２と、胴部２の下方に設けられた投影ユニット４とを備えている。胴部２は、アクリル樹脂等、透明又は半透明な合成樹脂材からなり、有蓋円筒状に形成されている。胴部２は、その上面に、背面から正面に向かう方向（反Ｚ方向）に傾斜する傾斜部２ａを備えている。また、該傾斜部２ａの円周に沿って設けられた外周面としての側面２ｂを有している。胴部２は、水平方向（Ｘ−Ｙ方向）における断面が円形状となっているが、傾斜部２ａは、水平面に対して傾斜しているため、縦長の楕円形状をなしている。また、傾斜部２ａは、画像表示装置１を正面からみた際に、長軸が正面から背面に向かう方向（Ｙ方向）に向かうように配置されている。
【００１５】
図２に示すように、画像表示装置１を床面１００に対して正立させた際の、傾斜部２ａと床面１００とがなす角度θは、９０度未満になっている。傾斜部２ａが完全に水平となると、通行人が画像表示装置１に近づいても傾斜部２ａに表示された画像を視認しずらい。傾斜部２ａが垂直となると、画像表示装置１から遠く離れた位置からでも傾斜部２ａに表示された画像を視認できるため、店舗等への集客効果が低下する。具体的には、画像表示装置１の高さを１２０センチメートル以上１４０センチメートル以下とすることが好ましく、この高さの場合には、角度θを１５度〜７０度の範囲にすることが好ましい。
【００１６】
図３は、画像表示装置１の側部断面図である。胴部２の傾斜部２ａの裏面には、一方の面で結像した投影画像を他方の面から視認できる透過型の透過型のスクリーン３が設けら
れている。スクリーン３は、公知の構成の半透明のフィルムである。図１に示すように、スクリーン３は、傾斜部２ａの形状に合わせて縦長の楕円形状に形成され、傾斜部２ａの中央に貼着されている。
【００１７】
また、図３に示すように、投影ユニット４は、収容部としての円形のケース５と、ケース５を封止する蓋部８とを備えている。ケース５は、箱状に形成され、その背面には、後述するメモリカード等を挿入するための接続口５ａが形成されている。
【００１８】
蓋部８は円盤状に形成されている。蓋部８の一部には、投影窓８ａが貫通形成され、この投影窓８ａには、プラスチック又はガラスからなる透明板８ｂが嵌合されている。ケース５及び蓋部８により形成された空間には、プロジェクタ６及び光学機構７と、投影ユニット４を制御する制御装置１０（図５参照）とが備えられている。尚、ケース５の上面は、蓋部８で覆われているため、透明な胴部２を介して投影ユニット４の内部が見えず、画像表示装置１の美観を損なわない。
【００１９】
プロジェクタ６は、公知の構成の液晶プロジェクタである。光学機構７は、反射鏡７ａと、図示しない軸受け及び台からなる。反射鏡７ａは、台に固定され、軸受けによって角度調整される。蓋部８は、プロジェクタ６から出力された投影ビーム５０が投影窓８ａを通過して、傾斜部２ａに投影されるように配置されている。
【００２０】
胴部２は、蓋部８により封止されたケース５の上に垂直に立つように固定されている。或いは、胴部２の内径を、ケース５の外径よりも若干大きくし、胴部２の内側にケース５を嵌合するように収納してもよい。このとき、重量の大きい投影ユニット４を下方に配置することにより、装置全体の重心が下方に偏倚するので、装置の安定性を向上できる。また、胴部２の下方にケース５を配置するので、画像表示装置１の占有スペースを縮小することができる。
【００２１】
さらに、画像表示装置１を外側から見た際に、胴部２及び投影ユニット４のみしか見えないので、見かけ上の部品点数を減らし、非常にシンプルな外観にすることができる。また、ケース５及び蓋部８の形状を胴部２に合わせて円形状に形成するとともに、胴部２及び投影ユニット４を上下に配置することにより、全体として略円柱状の形状とすることができる。このため、どの空間にも調和するシンプルな外観にすることができる。さらに、胴部２を透明な円柱にすることにより、高級感のある外観にすることができる。
【００２２】
胴部２を投影ユニット４の上に配置した状態で、プロジェクタ６から投影ビーム５０を出力すると、投影ビーム５０は、反射鏡７ａで反射され、投影窓８ａを介して、上記スクリーン３に投影される。投影ビーム５０はスクリーン３上で結像する。その結果、図４に示すように、傾斜部２ａの外側から、スクリーン３に結像した投影画像３０を見ることができる。
【００２３】
このとき、胴部２が無色透明の材質からなるため、あたかも投影画像３０が宙に浮いているような感覚を見る者に与えることができる。また、傾斜部２ａは、床面１００に対して鋭角となる角度で傾斜しているので、画像表示装置１に接近した顧客に対し、投影画像３０を見やすい角度で表示することができる。また、遠くからは傾斜部２ａに表示された投影画像３０が見にくいので、画像表示装置１に興味を持った通行人を、店舗等に引き付ける集客効果を高めることができる。
【００２４】
図５は投影ユニット４の制御装置１０のブロック図である。制御装置１０は、ＣＰＵ等からなる制御部１１、ドライバ１２、画像処理部１３、記憶装置としての画像記憶部１４及びコネクタ１５を備えている。制御部１１は、入力した画像データを画像記憶部１４に
記憶する等、主制御を司る。ドライバ１２は、プロジェクタ６の液晶パネルを制御するドライバであって、画像処理部１３は、画像データの左右反転や、台形補正処理等の画像処理を行うプロセッサである。また、画像処理部１３は、楕円形状のスクリーン３内に画像が収まるように、画像データの所定領域をトリミングする画像処理も行う。或いは、入力した画像データに、マスクをかけるようにしてもよい。マスクは、例えばプロジェクタ６の画像表示領域の中央に配置された楕円形状の投影領域と、投影領域以外の領域を非表示領域とする。
【００２５】
画像記憶部１４は、コネクタ１５を介して入力された画像データを一時保存する。コネクタ１５は、半導体メモリを備えたカード等の記憶媒体、或いは外部端末と接続されたケーブル等を接続するコネクタである。コネクタ１５の挿入口は、ケース５の接続口５ａと相対向するように設けられている。このため、胴部２を取り外したり、ケース５から蓋部８を取り外すことなく、コネクタ１５に記憶媒体等を挿入することができる。
【００２６】
記憶媒体又はケーブルから画像データを入力すると、制御部１１は、画像記憶部１４に画像データを一時保存する。この画像データは、動画データでもよく、静止画データでもよい。静止画データの場合、各静止画を所定時間間隔で順番に表示する。
【００２７】
制御装置１０が画像データを入力し、図示しない操作スイッチが操作されると、プロジェクタ６から画像データに基づく投影ビーム５０が照射され、スクリーン３に投影画像３０が結像する。プロジェクタ６から照射される投影ビーム５０は、胴部２の内側を通るため、投影ビーム５０の光路に不測の侵入物が侵入しない。このため、投影ビーム５０が侵入物により遮られるのを防止できる。
【００２８】
第１実施形態によれば、以下のような効果を得ることができる。
（１）第１実施形態では、画像表示装置１は、一方の面で結像した投影画像３０を他方の面から視認できる透過型のスクリーン３を備える。また、画像表示装置１を水平な床面に正立させた際に、該スクリーン３を床面に傾斜した状態で固定する傾斜部２ａを有する柱状の胴部２を備える。さらに、スクリーン３の下方に配置され、投影ビーム５０が、胴部２の内側を通過するように照射するプロジェクタ６と、投影される画像の画像データを記憶する制御装置１０と、プロジェクタ６から出力される投影ビーム５０を、スクリーン３に導いて結像させ、スクリーン３に投影画像３０を表示する光学機構７とを備える。従って、胴部の内側を投影ビーム５０が通過するため、不測の侵入物の侵入を防止することができる。また、傾斜部２ａにスクリーンが固定されているので、通行人が見やすい状態で投影画像３０を表示することができる。また、傾斜部２ａは、柱状の胴部２に形成されているため、外部から見える部品点数を極力少なくし、シンプルで高級感のある外観にすることができる。
【００２９】
（２）第１実施形態では、胴部２を、透明性を有する合成樹脂材から形成した。このため、傾斜部２ａに、投影画像３０があたかも宙に浮いているように表示できる。また、画像表示装置１を高級感のある外観にすることができる。
【００３０】
（３）第１実施形態では、胴部２を有蓋筒状に形成した。このため、胴部２の重量を軽くすることができるので、装置の組立、移動、設置といった取扱が容易となる。
（４）第１実施形態では、胴部２の下方に、円形状に形成されたケース５及び蓋部８を配置するので、画像表示装置１の占有スペースを小さくすることができる。また、重量のある投影ユニット４を装置の下方に配置することで、装置全体の重心が下方に偏倚し、柱状の胴部２を安定して支えることができる。
【００３１】
（５）第１実施形態では、胴部２は、楕円形状の傾斜部２ａと、該傾斜部２ａの円周に
沿って設けられた側面２ｂとを有する。また、プロジェクタ６は、同じ楕円形状に形成されたスクリーン３に画像が収まるように、画像を投影するようにした。このため、円形状の傾斜部２ａから画像がはみ出すことなく、傾斜部２ａに浮かび上がるように投影画像３０を表示できる。
【００３２】
（第２実施形態）
次に、本発明を具体化した第２実施形態を図６に従って説明する。尚、第２実施形態は、第１実施形態の胴部２及び投影ユニット４の形状を変更したのみの構成であるため、同様の部分についてはその詳細な説明を省略する。
【００３３】
図６は、画像表示装置１を正面右からみた斜視図である。本実施形態の画像表示装置１の胴部２０は、４つの側面を持つ四角柱状に形成され、その上面には傾斜部２０ａが設けられている。また、傾斜部２０ａの各辺に沿って設けられた各側面２０ｂを有している。
【００３４】
胴部２０の水平方向（Ｙ方向）における断面は、正方形状であって、傾斜部２０ａは長方形状をなしている。画像表示装置１が床面に正立した際に、傾斜部２０ａと床面とが成す角度θは、第１実施形態と同様に９０度未満であって、１５〜７０度が好ましい。
【００３５】
傾斜部２０ａの内側には、透過型のスクリーン２１が貼着されている。スクリーン２１は、四角形状に形成され、傾斜部２０ａの中央に配置されている。
胴部２０は、投影ユニット２２の上に立設されている。投影ユニット２２は、四角形状に形成され、ケース２３及び蓋部２４とを有している。ケース２３には、上記プロジェクタ６、光学機構７、制御装置１０等が収容されている。蓋部２４には、プロジェクタ６から出射された投影ビームが通過する投影窓２４ａが形成されている。
【００３６】
ケース２３の背面に形成された接続口（図示略）から記憶媒体又はケーブルを挿入し、コネクタ１５に接続すると、制御装置１０に画像データが入力される。画像を投影する際には、制御装置１０は、プロジェクタ６を制御して、投影ビームをスクリーン２１に投影する。その結果、傾斜部２ａの外側から、傾斜部２ａの内側に結像した投影画像３０を視認することができる。
【００３７】
従って、第２実施形態によれば、第１実施形態に記載の（１）〜（４）の効果に加えて以下の効果を得ることができる。
（６）第２実施形態では、胴部２は四角柱状に形成されているので、特殊な形状のスクリーン３に合わせた画像処理が不要となる。また、胴部２が四角形状に形成されているため、例えば、背面又は側面を、壁際につけて配置することができる。
【００３８】
（第３実施形態）
次に、本発明を具体化した第３実施形態を図７に従って説明する。尚、第３実施形態は、第１実施形態の胴部２及び投影ユニット４の形状を変更したのみの構成であるため、同様の部分についてはその詳細な説明を省略する。
【００３９】
図７は、画像表示装置１を正面右からみた斜視図である。本実施形態の画像表示装置１の胴部２５は、５つの側面を持つ五角形状に形成され、その上面には五角形状の傾斜部２５ａが設けられている。また、画像表示装置１は、傾斜部２５ａの各辺に沿って設けられた各側面を有している。画像表示装置１が床面に正立した際に、傾斜部２５ａと床面とが成す角度θは、第１実施形態と同様に９０度未満であって、１５〜７０度が好ましい。
【００４０】
傾斜部２５ａの内側には、透過型のスクリーン２６が貼着されている。スクリーン２６は、五角形状に形成され、傾斜部２５ａの中央に配置されている。
胴部２５は、投影ユニット２７の上に立設されている。投影ユニット２７は、五角形状に形成されたケース２８及び蓋部２９とを有している。ケース２８には、上記プロジェクタ６、光学機構７、制御装置１０等が収容されている。蓋部２９には、プロジェクタ６から出射された投影ビーム５０が通過する投影窓２９ａが形成されている。
【００４１】
ケース２８の背面に形成された接続口（図示略）から記憶媒体又はケーブルを挿入し、コネクタ１５に接続すると、制御装置１０に画像データが入力される。画像処理部１３は、投影画像３０が五角形のスクリーン２６内に収まるように、画像データに対し、トリミング又はマスクを施す画像処理を行う。画像を投影する際には、制御装置１０は、プロジェクタ６を制御して、投影ビームをスクリーン２６に投影する。その結果、傾斜部２５ａの外側から、傾斜部２５ａの内側に結像した投影画像３０を視認することができる。
【００４２】
従って、第３実施形態によれば、第１実施形態に記載の（１）〜（４）の効果に加えて以下の効果を得ることができる。
（７）第３実施形態では、胴部２は五角形状に形成されているので、人目をひく外観にすることができる。このため、通行人に対し、画像表示装置１に興味を持たせて、店頭等に引き付けることができる。
【００４３】
尚、本実施形態は以下のように変更してもよい。
・上記実施形態では、胴部２は、有蓋筒状に形成したが、内部を空洞にしないようにしてもよい。即ち、胴部２は、柱状に成形された樹脂又はガラスから形成してもよい。
【００４４】
・投影ユニット４，２２，２７は、床面に形成された収容部に収容するようにしてもよい。そして、床面の収容部に収容された投影ユニット４，２２，２７から、投影ビームを照射して、スクリーン３，２１，２６に結像させるようにしてもよい。
【００４５】
・上記実施形態では、投影ユニット４，２２，２７の下方に画像表示装置１の高さを調節する高さ調節機構、画像表示装置１の床面に対する角度を調節する角度調節機構を備えるようにしてもよい。このようにすると、画像表示装置１を設置した位置に応じて、傾斜部２ａ，２０ａ，２５ａの高さや角度を調節することができる。
【００４６】
・胴部２は、透明な合成樹脂材から形成したが、ガラスから形成してもよい。胴部２は、側面２ｂを不透明な材質から形成し、傾斜部２ａのみを透明な材質から形成するようにしてもよい。この場合、ケース５，２３，２８の内部が外部から見えなくなるため、蓋部８，２４，２９を省略しても良い。このようにしても、シンプルな外観にすることができる。
【００４７】
・第２及び第３実施形態では、胴部２０，２５を四角形及び五角形にそれぞれ形成したが、三角形、六角形等、その他の多角形状にしてもよい。
・上記実施形態では、傾斜部２ａ，２０ａ，２５ａの裏面にスクリーン３，２１，２６を貼るようにしたが、前面に貼着するようにしてもよい。
【００４８】
・上記実施形態では、スクリーン３，２１，２６を半透明のフィルムとしたが、傾斜部２ａ，２０ａ，２５ａの裏面（又は上面）をすりガラス状に形成し、その面を投影面とするようにしてもよい。
【図面の簡単な説明】
【００４９】
【図１】第１実施形態の画像表示装置の斜視図。
【図２】画像表示装置の側面図。
【図３】画像表示装置の断面図。
【図４】画像表示装置の正面図。
【図５】投影ユニットの制御装置のブロック図。
【図６】第２実施形態の画像表示装置の斜視図。
【図７】第３実施形態の画像表示装置の斜視図。
【符号の説明】
【００５０】
１…画像表示装置、２，２０，２１，２５…胴部、２ａ，２０ａ，２５ａ…傾斜部、２ｂ，２０ｂ…側面、３，２１，２６…スクリーン、５…収容部としてのケース、５ａ…接続口、６…プロジェクタ、７…光学機構、８…収容部としての蓋、１４…記憶装置としての画像記憶部、３０…投影画像、５０…投影ビーム、１００…床面。
【図１】
2009116238.tif 000003
【図２】
2009116238.tif 000004
【図３】
2009116238.tif 000005
【図４】
2009116238.tif 000006
【図５】
2009116238.tif 000007
【図６】
2009116238.tif 000008
【図７】
2009116238.tif 000009